(57)【要約】【課題】  携帯電話機１のメモリの記憶容量を圧迫することなく、ネットワーク上のサーバ装置で提供されている情報をオフライン状態で参照可能とする。【解決手段】  ホームネットワーク２を介してコンテンツの再生を行った際に、携帯電話機１が、この再生したコンテンツに対して、主に情報量の削減を図る最適化処理を施して順次保存する。そして、ユーザから再生が指定された際に、コンテンツアルバムに保存されている上記最適化処理されたコンテンツを読み出して再生する。コンテンツに対して最適化処理を施して保存することで、コンテンツアルバムの記憶容量が圧迫される不都合を防止することができる。また、通信回線をオフライン状態とした後からでも、コンテンツアルバムに保存したコンテンツを再生することで、過去に再生したネットワーク上のコンテンツを再生可能とすることができる。【選択図】  図１
2009010708.tif 000002
【特許請求の範囲】
【請求項１】
ネットワークを介して取得された少なくとも静止画像コンテンツを再生して表示手段に表示するコンテンツ再生手段と、
上記コンテンツ再生手段で上記静止画像コンテンツの再生が行われる毎に、上記表示手段の表示画面の大きさに対応する情報量となるように、上記静止画像コンテンツを、順次、最適化処理する最適化処理手段と、
上記最適化処理手段で最適化処理された上記静止画像コンテンツを記憶する最適化コンテンツ記憶手段と、
上記最適化コンテンツ記憶手段に記憶されている上記最適化処理された上記静止画像コンテンツを、所定のタイミングで再生するように上記コンテンツ再生手段を制御するコンテンツ再生制御手段と
を有する情報処理装置。
【請求項２】
請求項１に記載の情報処理装置であって、
上記コンテンツ再生手段は、ネットワークを介して取得された動画像コンテンツを再生して上記表示手段に表示し、
上記最適化処理手段は、上記コンテンツ再生手段で再生された上記動画像コンテンツから、連続する所定フレーム数分のフレーム画像、或いは断続的に所定フレーム数分のフレーム画像を抽出し、各フレーム画像の情報量を、それぞれ上記表示手段の表示画面の大きさに対応する表示サイズ以下の情報量となるように最適化処理し、
上記最適化コンテンツ記憶手段は、上記最適化処理手段で最適化処理された上記各フレーム画像を記憶すること
を特徴とする情報処理装置。
【請求項３】
請求項１又は請求項２に記載の情報処理装置であって、
上記コンテンツ再生手段は、ネットワークを介して取得された音楽コンテンツを再生してスピーカ装置を介して出力し、
上記最適化処理手段は、上記コンテンツ再生手段で再生された上記音楽コンテンツに対して施されている情報圧縮処理よりも情報量の圧縮処理が可能な情報圧縮処理を上記音楽コンテンツに施すことで該音楽コンテンツを最適化処理し、
上記最適化コンテンツ記憶手段は、上記最適化処理手段で最適化処理された上記音楽コンテンツを記憶すること
を特徴とする情報処理装置。
【請求項４】
請求項１又は請求項２に記載の情報処理装置であって、
上記コンテンツ再生手段は、ネットワークを介して取得された音楽コンテンツを再生してスピーカ装置を介して出力し、
上記最適化処理手段は、上記コンテンツ再生手段で再生された上記音楽コンテンツから、連続する所定秒数分の音楽コンテンツ、又は断続的に所定秒数分の音楽コンテンツを抽出することで、上記音楽コンテンツを最適化処理し、或いは上記連続する所定秒数分の音楽コンテンツ、又は断続的に抽出した所定秒数分の音楽コンテンツに対して、上記コンテンツ再生手段で再生された上記音楽コンテンツに対して施されている情報圧縮処理よりも情報量の圧縮処理が可能な情報圧縮処理を施すことで該音楽コンテンツを最適化処理し、
上記最適化コンテンツ記憶手段は、上記最適化処理手段で最適化処理された上記音楽コンテンツを記憶すること
を特徴とする情報処理装置。
【請求項５】
請求項１から請求項４のうち、いずれか一項に記載の情報処理装置であって、
上記最適化処理手段は、上記最適化コンテンツ記憶手段の記憶容量が少なくなるに連れ、最適化コンテンツ記憶手段に記憶される上記コンテンツの情報量を段階的に少なくするように、該コンテンツに対して最適化処理を施すこと
を特徴とする情報処理装置。
【請求項６】
請求項１から請求項５のうち、いずれか一項に記載の情報処理装置であって、
上記静止画像コンテンツ、動画像コンテンツ、或いは音楽コンテンツは、近距離無線通信ネットワークに接続されたサーバ機器から取得されること
を特徴とする情報処理装置。
【請求項７】
ネットワークを介して取得された少なくとも静止画像コンテンツをコンテンツ再生手段が再生して表示手段に表示するステップと、
上記ステップで上記コンテンツ再生手段で上記静止画像コンテンツの再生が行われる毎に、最適化処理手段が、上記表示手段の表示画面の大きさに対応する情報量となるように、上記静止画像コンテンツを、順次、最適化処理して最適化コンテンツ記憶手段に記憶させるステップと、
上記ステップで上記最適化コンテンツ記憶手段に記憶された上記最適化処理された上記静止画像コンテンツを、所定のタイミングで再生するように、コンテンツ再生制御手段が上記コンテンツ再生手段を制御するステップと
を有する情報処理方法。
【請求項８】
ネットワークを介して取得された少なくとも静止画像コンテンツを再生して表示手段に表示するコンテンツ再生手段としてコンピュータを機能させ、
上記コンテンツ再生手段としてコンピュータを機能させることで再生された上記静止画像コンテンツの情報量が、上記表示手段の表示画面の大きさに対応する情報量となるように、上記再生された静止画像コンテンツを、順次、最適化処理して最適化コンテンツ記憶手段に記憶させる最適化処理手段と、
上記最適化処理手段としてコンピュータを機能させることで上記最適化コンテンツ記憶手段に記憶された上記最適化処理された上記静止画像コンテンツを、所定のタイミングで再生するように上記コンテンツ再生手段を制御するコンテンツ再生制御手段としてコンピュータを機能させること
を特徴とする情報処理プログラム。
【請求項９】
ネットワークを介して少なくとも静止画像コンテンツを取得するコンテンツ取得手段と、
上記コンテンツ取得手段で取得された上記静止画像コンテンツを再生して表示手段に表示するコンテンツ再生手段と、
上記コンテンツ再生手段で上記静止画像コンテンツの再生が行われる毎に、上記表示手段の表示画面の大きさに対応する情報量となるように、上記静止画像コンテンツを、順次、最適化処理する最適化処理手段と、
上記最適化処理手段で最適化処理された上記静止画像コンテンツを記憶する最適化コンテンツ記憶手段と、
上記最適化コンテンツ記憶手段に記憶された上記最適化処理された上記静止画像コンテンツを、所定のタイミングで再生するように上記コンテンツ再生手段を制御するコンテンツ再生制御手段と
を有する携帯端末装置。
【発明の詳細な説明】
【技術分野】
【０００１】
本発明は、例えば携帯電話機、ＰＨＳ電話機（PHS：Personal Handyphone System）、ＰＤＡ装置（PDA：Personal Digital Assistant）、携帯ゲーム機等の携帯機器に適用して好適な情報処理装置、情報処理方法、情報処理プログラム、及び携帯端末装置に関し、特にネットワーク上のサーバ装置から提供されている静止画像コンテンツ、動画像コンテンツ、或いは音楽コンテンツ等を携帯機器上で再生した際に、当該再生したコンテンツの情報量を、携帯機器の情報処理能力に合致した情報量とする最適化処理を施して、順次、メモリに保存しておくことで、メモリの記憶容量を圧迫することなく、サーバ装置との間に確立されている通信回線をオフライン状態とした後からでも、過去に再生したネットワーク上のコンテンツを携帯機器上で再生可能とした情報処理装置、情報処理方法、情報処理プログラム、及び携帯端末装置に関する。
【背景技術】
【０００２】
特開２００４−８６２４９号の公開特許公報（特許文献１）には、利用者の要求及び利用者が使用する端末装置の表示能力等に対応した、適切な画像コンテンツを提供する画像データ通信システムが開示されている。この画像データ通信システムの場合、利用者端末は、画像データの要求と共に、画像データの画素サイズ、データサイズ、及び色数のうち少なくとも１つ以上の属性情報をサーバ装置へ送信する。サーバ装置は、要求された画像データを、指定された属性情報に従って変換し、変換済画像データを利用者端末へ送信する。これにより、利用者が要求した属性の画像データが利用者端末に送信されることとなり、利用者端末において、上記要求した属性に合致した変換済画像データを受信して表示することができる。このため、利用者端末とサーバ装置との間で、例えば当該利用者端末の表示能力以上の画像データを通信して無駄な通信費用がかかる不都合を防止することができ、通信コストの削減を図ることができる。
【０００３】
また、特開２００５−３７４３２号の公開特許公報（特許文献２）には、携帯端末の状態やユーザの好みに応じてコンテンツを変換して携帯端末に配信するデータ配信システムが開示されている。このデータ配信システムの場合、まず、コンテンツサーバからユーザの携帯電話に対してコンテンツ再生テストを配信する。
【０００４】
ユーザの携帯電話は、このコンテンツ再生テストを実行することで、携帯電話の各機種毎における個々のばらつきを補正し、楽曲コンテンツの音色や画像コンテンツの色調等のコンテンツの再生設定をユーザの好みに応じて変更するための個別設定情報を形成する。そして、この個別設定情報を予めコンテンツサーバへ送信し、或いはコンテンツの配信要求の際に、この個別設定情報をコンテンツサーバへ送信する。コンテンツサーバは、この個別設定情報に対応するコンテンツを形成してユーザの携帯電話に送信する。これにより、各携帯電話毎の処理能力や要求に対応するコンテンツを形成して配信を行うことを可能とすることができる。
【０００５】
ここで、携帯電話機等の携帯端末装置でネットワーク上のサーバ装置から提供されている情報を参照する場合、携帯端末装置とサーバ装置との間に通信回線の確立を図り、この通信回線を介して、サーバ装置から所望の情報を取得して参照することとなる。この情報の参照を行っている間、携帯端末装置とサーバ装置との間に確立された通信回線を維持することで、この通信回線が維持されている間は、サーバ装置から所望の情報を取得して参照可能となる。
【０００６】
【特許文献１】特開２００４−８６２４９号公報（第１２頁〜１３頁、図３、図１５）
【特許文献２】特開２００５−３７４３２号公報（第７頁、図１、図２）
【発明の開示】
【発明が解決しようとする課題】
【０００７】
パーソナルコンピュータ装置のように大容量のメモリを有する装置においては、ネットワーク上のサーバ装置から情報を取得する毎に、該情報を上記メモリに保存することで、サーバ装置との間の通信回線がオフライン状態となっても、上記サーバ装置から取得済みの情報を参照することは可能となる。
【０００８】
しかし、携帯端末装置の場合、記憶容量が少ないメモリが設けられている場合が多いため、サーバ装置から情報を取得する毎に該情報をメモリに保存すると、この保存した情報でメモリの記憶領域が大きく圧迫される不都合を生ずる。
【０００９】
このメモリの記憶領域が圧迫される問題は、携帯端末装置に対して大きな記憶容量のメモリを設けることで、ある程度は解決可能であるが、サーバ装置から取得した情報をそのままのデータ量で保存した場合には、やはり、すぐにメモリの記憶容量が圧迫される問題を生ずるようになる。
【００１０】
このようなことから、携帯端末装置においては、ネットワーク上のサーバ装置との間の通信回線がオフライン状態となった後に、該サーバ装置で提供されている情報を参照することは困難となる問題があった。
【００１１】
本発明は、上述の課題に鑑みてなされたものであり、メモリの記憶容量を圧迫することなく、ネットワーク上のサーバ装置で提供されている情報をオフライン状態で参照可能とすることができるような携帯端末装置の提供を目的とする。
【課題を解決するための手段】
【００１２】
本発明に係る情報処理装置は、上述の課題を解決するための手段として、
ネットワークを介して取得された少なくとも静止画像コンテンツを再生して表示手段に表示するコンテンツ再生手段と、
上記コンテンツ再生手段で上記静止画像コンテンツの再生が行われる毎に、上記表示手段の表示画面の大きさに対応する情報量となるように、上記静止画像コンテンツを、順次、最適化処理する最適化処理手段と、
上記最適化処理手段で最適化処理された上記静止画像コンテンツを記憶する最適化コンテンツ記憶手段と、
上記最適化コンテンツ記憶手段に記憶されている上記最適化処理された上記静止画像コンテンツを、所定のタイミングで再生するように上記コンテンツ再生手段を制御するコンテンツ再生制御手段と
を有する。
【００１３】
また、本発明に係る情報処理方法は、上述の課題を解決するための手段として、
ネットワークを介して取得された少なくとも静止画像コンテンツをコンテンツ再生手段が再生して表示手段に表示するステップと、
上記ステップで上記コンテンツ再生手段で上記静止画像コンテンツの再生が行われる毎に、最適化処理手段が、上記表示手段の表示画面の大きさに対応する情報量となるように、上記静止画像コンテンツを、順次、最適化処理して最適化コンテンツ記憶手段に記憶させるステップと、
上記ステップで上記最適化コンテンツ記憶手段に記憶された上記最適化処理された上記静止画像コンテンツを、所定のタイミングで再生するように、コンテンツ再生制御手段が上記コンテンツ再生手段を制御するステップと
を有する。
【００１４】
また、本発明に係る情報処理プログラムは、上述の課題を解決するために、
ネットワークを介して取得された少なくとも静止画像コンテンツを再生して表示手段に表示するコンテンツ再生手段としてコンピュータを機能させ、
上記コンテンツ再生手段としてコンピュータを機能させることで再生された上記静止画像コンテンツの情報量が、上記表示手段の表示画面の大きさに対応する情報量となるように、上記再生された静止画像コンテンツを、順次、最適化処理して最適化コンテンツ記憶手段に記憶させる最適化処理手段と、
上記最適化処理手段としてコンピュータを機能させることで上記最適化コンテンツ記憶手段に記憶された上記最適化処理された上記静止画像コンテンツを、所定のタイミングで再生するように上記コンテンツ再生手段を制御するコンテンツ再生制御手段としてコンピュータを機能させる。
【００１５】
また、本発明に係る携帯端末装置は、上述の課題を解決するための手段として、
ネットワークを介して少なくとも静止画像コンテンツを取得するコンテンツ取得手段と、
上記コンテンツ取得手段で取得された上記静止画像コンテンツを再生して表示手段に表示するコンテンツ再生手段と、
上記コンテンツ再生手段で上記静止画像コンテンツの再生が行われる毎に、上記表示手段の表示画面の大きさに対応する情報量となるように、上記静止画像コンテンツを、順次、最適化処理する最適化処理手段と、
上記最適化処理手段で最適化処理された上記静止画像コンテンツを記憶する最適化コンテンツ記憶手段と、
上記最適化コンテンツ記憶手段に記憶された上記最適化処理された上記静止画像コンテンツを、所定のタイミングで再生するように上記コンテンツ再生手段を制御するコンテンツ再生制御手段と
を有する。
【００１６】
このような本発明は、ネットワークを介して取得された静止画像コンテンツが表示手段に表示されると、この表示された静止画像コンテンツの情報量を、上記表示手段の表示画面の大きさに対応する情報量となるように最適化処理して最適化コンテンツ記憶手段に記憶することで、最適化コンテンツ記憶手段に記憶する静止画像コンテンツの情報量の削減を図り、該最適化コンテンツ記憶手段の記憶容量が圧迫される不都合を防止する。
【００１７】
また、最適化コンテンツ記憶手段に記憶された、上記最適化処理が施された静止画像コンテンツを、所定のタイミングで再生することで、ネットワーク上のサーバ装置との間に確立されている通信回線をオフライン状態とした後からでも、過去に再生したネットワーク上のコンテンツを参照可能とする。
【発明の効果】
【００１８】
本発明は、最適化コンテンツ記憶手段の記憶容量を圧迫することなく、ネットワーク上のサーバ装置との間に確立されている通信回線をオフライン状態とした後からでも、過去に再生したネットワーク上のコンテンツを参照可能とすることができる。
【発明を実施するための最良の形態】
【００１９】
本発明は、デジタル・リビング・ネットワーク・アライアンス・ガイドライン（＝ＤＬＮＡガイドライン、DLNA：Digital Living Network Alliance：登録商標）に準拠して動作する各機器で構成されたホームネットワークシステムに適用することができる。
【００２０】
［ＤＬＮＡガイドラインの概要］
まず、ＤＬＮＡガイドライン ｖ１では、デバイスモデルとしてＤＭＳ(Digital Media Server)とＤＭＰ（Digital Media Player）という２つのモデルが定義されている。ＤＭＳはＵＰｎＰ（Universal Plug and Play：登録商標）のメディアサーバが内蔵されたサーバ用のデバイスモデル、ＤＭＰはメディアクライアントとコントロールポイントと呼ばれるユーザが操作するソフトウェアが内蔵されたクライアント用のデバイスモデルとなっている。ＤＭＳとＤＭＰの各機能をどの機器に持たせるかは自由となっており、両方の機能を１台の機器に持たせることも可能となっている。
【００２１】
ＤＬＮＡガイドライン ｖ１．１では、これらに加え、ＤＭＣ(Digital Media Controller)、ＤＭＲ(Digital Media Renderer)、ＤＭＰｒ(Digital Media Printer)の３つのデバイスモデルが新たに定義されている。ＤＭＣはコントロールポイントだけを独立させたデバイスモデルで、ＤＭＲはユーザインターフェイスを持たない再生プレーヤのデバイスモデルとなっている。これにより、リモートコントローラ機能のみを有するＤＬＮＡガイドライン対応デバイスや、ＤＭＣによりコントロールされ、再生だけを行うＤＬＮＡガイドライン対応デバイス等を実現可能となっている。
【００２２】
また、ＤＬＮＡガイドラインでは、ネットワークとしてイーサネット（Ethernet：登録商標）、或いは無線ＬＡＮ（LAN：Local Area Network）を、通信プロトコルとしてＴＣＰ／ＩＰ（Transmission Control Protocol/Internet Protocol）を、アドレスの動的割り当てにＤＨＣＰ（Dynamic Host Configuration Protocol）やオートＩＰをそれぞれ用いるように規定されている。また、ＤＬＮＡガイドラインでは、コンテンツの送受信にＨＴＴＰ（HyperText Transfer Protocol）を、ＤＭＳ機器とＤＭＰ機器との間のメッセージの記述にはＸＭＬ（Extensible Markup Language）を、利用可能なサーバの検索やコンテンツ一覧の取得にはＵＰｎＰ（Universal Plug and Play：登録商標）を、それぞれ用いるように規定されている。
【００２３】
また、ＤＬＮＡガイドラインでは、リニアＰＣＭ（Linear Pulse Code Modulation）、ＭＰ３（MPEG-1 Audio Layer-3）、ＡＡＣ（Advanced Audio Coding）、ＡＴＲＡＣ３Ｐｌｕｓ（登録商標、ATRAC：Adaptive TRansform Acoustic Coding）、ＷＭＡ（登録商標、Windows Media Audio）等の音声コンテンツ、ＪＰＥＧ（Joint Photographic Experts Group）の静止画コンテンツ、ＭＰＥＧ−２（Moving Picture Experts Group phase 2）の動画コンテンツは、必ず取り扱い可能とするように規定されている。
【００２４】
［システムの構成］
本発明の実施の形態となるホームネットワークシステムは、このようなＤＬＮＡガイドラインに準拠して動作する各機器で構成されており、例えば携帯電話機１と、当該携帯電話機１のユーザの自宅に構築されているホームネットワーク２（家庭内ＬＡＮ、LAN：Local Area Network）に接続された近距離無線通信のアクセスポイント３（近距離無線通信ＡＰ）と、パーソナルコンピュータ装置４と、ハードディスクレコーダ装置５とを有している。
【００２５】
ホームネットワーク２は、インターネット６、及び携帯電話機１の通信事業者の基地局７が接続されたコミュニケーションネットワーク８にも接続されており、これにより、インターネット６上のサーバ装置９から提供されるコンテンツや、コミュニケーションネットワーク７上のサーバ装置１０から提供されるコンテンツも、当該ホームネットワーク２を介して取得可能となっている。
【００２６】
パーソナルコンピュータ装置４には、静止画像コンテンツ、動画像コンテンツ、音楽コンテンツ等の各種コンテンツが記憶されており、また、ハードディスクレコーダ装置５には、静止画像コンテンツ及び動画像コンテンツが記憶されている。このパーソナルコンピュータ装置４及びハードディスクレコーダ装置５は、それぞれ上記ＤＬＮＡガイドラインに規定されたＤＭＳプログラム(DMS：Digital Media Server)に基づいて動作するようになっており、上記携帯電話機１に対して、ホームネットワーク２及び近距離無線通信ＡＰ３を介して上記各コンテンツの配信を行うようになっている。
【００２７】
一方、携帯電話機１は、図２に示すように基地局７との間で音声通話、テレビ電話通話、電子メール、Ｗｅｂデータ（静止画像コンテンツ、動画像コンテンツ、音楽コンテンツ等、Web：World Wide Web）等の無線通信を行うアンテナ２１及び通信回路２２と、受話音声、動画像コンテンツの音声、或いは音楽コンテンツの音声等を出力するためのスピーカ部２３と、送話音声等を集音するマイクロホン部２４と、上記静止画像コンテンツや動画像コンテンツ等を表示するための表示部２５と、所定の入力操作や選択操作等を行うための操作部２６とを有している。
【００２８】
また、この携帯電話機１は、発着信等を光で知らせるための発光部２７（LED：Light Emitting Diode）と、所望の被写体の動画像或いは静止画像を撮像するためのカメラ部２８と、当該携帯電話機１の筐体を振動させて発着信等を知らせるためのバイブレーションユニット２９と、時刻をカウントするタイマ３０と、上記近距離無線通信ＡＰ３との間で例えば無線ＬＡＮやブルートゥース（Bluetooth：登録商標）等の近距離無線通信を行うための近距離無線通信アンテナ３１及び近距離無線通信部３２と、コミュニケーションプログラムや各種アプリケーションプログラムの他、これら各アプリケーションプログラムで取り扱われる各コンテンツ等が記憶されたメモリ３３と、後述する最適化処理が施されたコンテンツが記憶されるコンテンツアルバム３４と、当該携帯電話機全体の動作を制御する制御部３５とを有している。
【００２９】
メモリ３３には、当該携帯電話機１をＤＬＮＡガイドラインに準拠したプッシュコントローラとして機能させることで、パーソナルコンピュータ装置４やハードディスクレコーダ装置５から静止画像コンテンツや動画像コンテンツ等を取得するための＋ＰＵ＋プログラムと、上記パーソナルコンピュータ装置４やハードディスクレコーダ装置５から取得したコンテンツに対して後述する最適化処理を施してコンテンツアルバム３４に保存するためのコンテンツ保存処理プログラムとが記憶されている。
【００３０】
また、メモリ３３には、カメラ部２８の撮像制御を行うカメラ制御プログラムと、Ｗｅｂページを閲覧するためのＷｅｂブラウジングプログラムと、電子メールの作成や送受信を制御するための電子メール管理プログラムと、ユーザのスケジュールが登録されたスケジュール帳の管理を行うためのスケジュール帳管理プログラムと、電話帳の管理を行うための電話帳管理プログラムと、音楽コンテンツの再生を行うための音楽プレーヤプログラムとが記憶されている。
【００３１】
また、メモリ３３には、ユーザの所望のスケジュールが登録されるスケジュール帳と、ユーザの知人や友人等の静止画像、電話番号、電子メールアドレス、誕生年月日等が登録された電話帳と、音楽プレーヤプログラムに基づいて再生される音楽コンテンツと、カメラ制御プログラムのビューワ機能に基づいて再生される静止画像コンテンツ及び動画像コンテンツと、送受信された電子メールコンテンツと、電話及び電子メールの発着信履歴等が記憶されている。
【００３２】
［コンテンツの最適化処理動作］
次に、このような構成を有する当該実施の形態のホームネットワークシステムでは、携帯電話機１が、ネットワークから取得したコンテンツを再生する毎に、この再生したコンテンツを最適化処理してコンテンツアルバム３４に自動的に保存することで、携帯電話機１とネットワークとの間に確立された通信回線がオフライン状態となった後からでも、過去に再生したネットワーク上のコンテンツを参照可能となっている。
【００３３】
〔コンテンツの自動保存設定〕
このようなコンテンツの自動保存の可否は、携帯電話機１のユーザが予め設定メニューに基づいて設定するようになっている。具体的には、コンテンツの自動保存の可否の設定を行う場合、ユーザは、操作部２６を操作することで、例えば図３（ａ）に示す総合メニューを携帯電話機１の表示部２５に表示すると共に、操作部２６を介してカーソルＣＲを移動操作して「設定」のメニュー項目を選択操作する。
【００３４】
この「設定」のメニュー項目が選択操作されると、制御部３５は、図３（ｂ）に示す各種設定メニューを表示部２５に表示制御する。ユーザにより、操作部２６を介してカーソルＣＲが移動操作され「コンテンツアルバム設定」の設定メニュー項目が選択操作されると、制御部３５は、図３（ｃ）に示すコンテンツアルバム設定画面を表示部２５に表示制御する。
【００３５】
この「コンテンツアルバム」は、ネットワークを介して取得したコンテンツを再生した際に、この再生したコンテンツに対して最適化処理を施して記憶するメモリであり、図２に示したようにコンテンツアルバム３４として、携帯電話機１内に設けられている。制御部３５は、「コンテンツアルバム設定画面」に、カメラ部２８で撮像した静止画像コンテンツ或いは動画像コンテンツをコンテンツアルバム３４に自動保存するか否かの設定メニュー項目（カメラ撮像時保存設定メニュー項目）、及びネットワークを介して取得したコンテンツを再生した際に、この再生したコンテンツをコンテンツアルバム３４に自動保存するか否かの設定メニュー項目（コンテンツ再生時保存設定メニュー項目）を表示するようになっている。
【００３６】
カメラ撮像時保存設定メニュー項目は、カメラ部２８で撮像した静止画像コンテンツ或いは動画像コンテンツをコンテンツアルバム３４に自動的に保存することを許容する「ＯＮ」の設定メニュー項目、及びカメラ部２８で撮像した静止画像コンテンツ或いは動画像コンテンツをコンテンツアルバム３４に自動的に保存することを拒否する「ＯＦＦ」の設定メニュー項目を有する、いわゆるプルダウンメニューとなっている。
【００３７】
「カメラ撮像時保存設定メニュー項目」は、デフォルトとして例えば上記「ＯＮ」が選択されているのであるが、カメラ部２８で撮像した静止画像コンテンツ或いは動画像コンテンツをコンテンツアルバム３４に自動的に保存することを拒否する場合、ユーザは操作部２６を介して上記「ＯＦＦ」を選択操作する。この「ＯＦＦ」が選択されている場合、制御部３５は、カメラ部２８で静止画像コンテンツ或いは動画像コンテンツが撮像された場合でも、該静止画像コンテンツ或いは動画像コンテンツをコンテンツアルバム３４に保存しないこととなる。
【００３８】
同様に、「コンテンツ再生時保存設定メニュー項目」も、再生した静止画像コンテンツ、動画像コンテンツ、及び音楽コンテンツをコンテンツアルバム３４に自動的に保存することを許容する「ＯＮ」の設定メニュー項目、及び再生した上記コンテンツをコンテンツアルバム３４に自動的に保存することを拒否する「ＯＦＦ」の設定メニュー項目を有する、いわゆるプルダウンメニューとなっている。
【００３９】
「コンテンツ再生時保存設定メニュー項目」は、デフォルトとして例えば上記「ＯＮ」が選択されているのであるが、再生した上記コンテンツをコンテンツアルバム３４に自動的に保存することを拒否する場合、ユーザは操作部２６を介して上記「ＯＦＦ」を選択操作する。この「ＯＦＦ」が選択されている場合、制御部３５は、上記コンテンツの再生を行った場合でも、該コンテンツをコンテンツアルバム３４に保存しないこととなる。
【００４０】
〔コンテンツの自動保存動作〕
図４のフローチャートに、コンテンツの自動保存動作の流れを示す。携帯電話機１の制御部３５は、カメラ部２８で静止画像又は動画像の撮像が行われたタイミングで、或いはホームネットワーク２、インターネット６、コミュニケーションネットワーク８等のネットワークを介してコンテンツを取得したタイミングで、図２に示すメモリ３３に記憶されているコンテンツ保存処理プログラムに基づいて、この図４のフローチャートに示す処理を開始する。
【００４１】
まず、ステップＳ１では、制御部３５が、図３を用いて説明したコンテンツアルバム設定を参照することで、コンテンツの自動保存設定が「ＯＮ」に設定されているか否かを判別する。具体的には、カメラ部２８で静止画像又は動画像の撮像が行われたタイミングで、この図４のフローチャートに示す処理を開始した場合、制御部３５は、メモリ３３に保存されている「カメラ撮像時保存設定メニュー項目」の設定情報が「ＯＮ」に設定されているか否かを判別する。また、上記ネットワークを介してコンテンツを取得したタイミングで、この図４のフローチャートに示す処理を開始した場合、制御部３５は、メモリ３３に保存されている「コンテンツ再生時保存設定メニュー項目」の設定情報が「ＯＮ」に設定されているか否かを判別する。
【００４２】
制御部３５は、このようなコンテンツの自動保存設定が「ＯＮ」に設定されているものと判別した場合、処理をステップＳ２に進め、コンテンツの自動保存設定が「ＯＦＦ」に設定されているものと判別した場合、そのままこの図４のフローチャートに示す処理を終了する。これにより、コンテンツの自動保存設定が「ＯＦＦ」に設定されている場合には、コンテンツの自動保存は行われないこととなる。
【００４３】
次に、ステップＳ２では、制御部３５が、カメラ部２８で撮像された静止画像コンテンツ又は動画像コンテンツ、或いはネットワークを介して取得されたコンテンツの出力動作がなされたか否かを判別する。具体的には、制御部３５は、操作部２６の操作状態に基づいて、カメラ部２８で撮像された静止画像コンテンツ又は動画像コンテンツの保存がなされたか否かを判別し、ネットワークを介して取得された静止画像コンテンツ又は動画像コンテンツの再生、或いはネットワークを介して取得された音楽コンテンツの再生が行われたか否かを、このステップＳ２で判別する。そして、このようなコンテンツの出力が行われたものと判別した場合、制御部３５は、処理をステップＳ３に進め、このようなコンテンツの出力が行われないものと判別した場合、制御部３５は、そのままこの図４のフローチャートに示す処理を終了する。
【００４４】
次に、ステップＳ３では、制御部３５が、タイマ３０から現在の日付情報及び時刻情報を取得し、コンテンツアルバム３４に対して、このタイマ３０から取得した日付情報及びコンテンツの取得先に対応するフォルダを自動的に作成して、処理をステップＳ４に進める。具体的には、タイマ３０から取得した現在の日付情報が、例えば２００６年１１月２２日で、保存しようとしているコンテンツがカメラ部２８で撮像された静止画像コンテンツであった場合、制御部３５は、コンテンツアルバム３４内に、「２００６／１１／２２  カメラ」との、日付情報及びコンテンツの取得先に対応するフォルダを自動的に作成する。同様に、タイマ３０から取得した現在の日付情報が、例えば２００６年１１月２５日で、保存しようとしているコンテンツが近距離無線通信部３２を介してホームネットワーク２に接続されているパーソナルコンピュータ装置４から取得した静止画像コンテンツであった場合、制御部３５は、コンテンツアルバム３４内に、「２００６／１１／２５  ＨＮＷ（ホームネットワークの意）」との、日付情報及びコンテンツの取得先に対応するフォルダを自動的に作成する。
【００４５】
上記ステップＳ２において上記出力があったものと判別されたコンテンツは、このステップＳ３で作成されたフォルダに対して後述する最適化処理が施されたうえで、自動的に保存されるのであるが、制御部３５は、このコンテンツの保存に先立って、ステップＳ４において、コンテンツアルバム３４の記憶容量の残量は、所定の残量以下であるか否かを判別する。そして、コンテンツアルバム３４の記憶容量の残量が所定の残量よりも多い場合は、処理をステップＳ５に進め、上記保存するコンテンツに対して最適化処理を施し、コンテンツアルバム３４の記憶容量の残量が所定の残量以下の場合は、処理をステップＳ７に進め、コンテンツアルバム３４の記憶容量の残量に応じた最適化処理を、上記保存するコンテンツに施して、それぞれ処理をステップＳ６に進める。
【００４６】
具体的には、静止画像コンテンツに対して最適化処理を施す場合、制御部３５は、表示部２５の表示画面の大きさに対応する情報量となるように、上記静止画像コンテンツに対して最適化処理を施す。
【００４７】
また、動画像コンテンツに対して最適化処理を施す場合、制御部３５は、この動画像コンテンツから、連続する所定フレーム数分のフレーム画像、或いは断続的に所定フレーム数分のフレーム画像を抽出し、各フレーム画像の情報量を、それぞれ表示部２５の表示画面の大きさに対応する表示サイズ以下の情報量となるように最適化処理を施す。
【００４８】
また、音楽コンテンツに対して最適化処理を施す場合、制御部３５は、元の音楽コンテンツに対して施されている情報圧縮処理よりも情報量の圧縮処理が可能な情報圧縮処理を上記音楽コンテンツに施すことで該音楽コンテンツを最適化処理する。
【００４９】
或いは、音楽コンテンツに対して最適化処理を施す場合、制御部３５は、元の音楽コンテンツから、連続する所定秒数分の音楽コンテンツを抽出し、又は断続的に所定秒数分の音楽コンテンツを抽出することで、上記音楽コンテンツを最適化処理し、或いは上記連続する所定秒数分の音楽コンテンツ、又は断続的に抽出した所定秒数分の音楽コンテンツに対して、上記コンテンツ再生手段で再生された上記音楽コンテンツに対して施されている情報圧縮処理よりも情報量の圧縮処理が可能な情報圧縮処理を施すことで該音楽コンテンツを最適化処理する。
【００５０】
そして、制御部３５は、コンテンツアルバム３４のメモリ残量が少なくなるに連れ、圧縮率の高い最適化処理を用いることで、コンテンツアルバム３４に保存するコンテンツの情報量を削減し、該コンテンツアルバムの記憶容量が圧迫される不都合を防止している。
【００５１】
次に、ステップＳ６では、制御部３５が、このように最適化処理した静止画像コンテンツ、動画像コンテンツ、或いは音楽コンテンツを、上記ステップＳ３で作成したフォルダに、日付情報及び取得先情報を付加して保存して、この図４のフローチャートに示す処理を終了する。
【００５２】
［コンテンツの自動保存動作の詳細］
一例ではあるが、制御部３５は、
１．カメラ部２８で撮像され、メモリ３３（拡張メモリも含む）或いは当該携帯電話機１に対して着脱自在な外部メモリに保存された静止画像コンテンツ或いは動画像コンテンツ、
２．メモリ３３（拡張メモリも含む）又は外部メモリに保存されている静止画像コンテンツ、動画像コンテンツ及び音楽コンテンツのうち、電子メールに添付されたコンテンツ、
３．メモリ３３に保存されている静止画像コンテンツ、動画像コンテンツ及び音楽コンテンツのうち、メモリ３３、拡張メモリ或いは外部メモリに移動或いは保存されたコンテンツ
４．外部メモリに保存されている静止画像コンテンツ、動画像コンテンツ及び音楽コンテンツのうち、メモリ３３又は拡張メモリに移動或いは保存されたコンテンツ
５．拡張メモリに保存されている静止画像コンテンツ、動画像コンテンツ及び音楽コンテンツのうち、メモリ３３に移動或いは保存されたコンテンツ
６．メモリ３３に保存されている静止画像コンテンツ、動画像コンテンツ及び音楽コンテンツのうち、赤外線通信機能を用いて送信されたコンテンツ
７．赤外線通信機能を用いて受信された静止画像コンテンツ、動画像コンテンツ或いは音楽コンテンツ
８．近距離無線通信を用いて取得し再生した静止画像コンテンツ、動画像コンテンツ或いは音楽コンテンツ
９．近距離無線通信を用いて取得してメモリ３３、拡張メモリ、或いは外部メモリに保存した静止画像コンテンツ、動画像コンテンツ或いは音楽コンテンツ
１０．メモリ３３、拡張メモリ、或いは外部メモリに保存されている静止画像コンテンツ、動画像コンテンツ或いは音楽コンテンツのうち、近距離無線通信を用いて送信したコンテンツ
をコンテンツアルバム３４に自動保存するようになっている。
【００５３】
〔カメラ部で撮像された静止画像コンテンツの自動保存動作〕
以下、いくつかの具体例をあげて、このコンテンツアルバム３４に対する自動保存動作を説明する。まず、図５（ａ）〜（ｆ）は、カメラ部２８で撮像された静止画像コンテンツをコンテンツアルバム３４に自動保存する流れを示している。この場合、ユーザにより、操作部２６を介してカメラ部２８が起動操作されると、制御部３５は、例えば図５（ａ）に示す撮像画面を表示部２５に表示制御する。ユーザは、表示部２５の表示に基づいて被写体を認識し、所望のタイミングで操作部２６を撮像操作する。
【００５４】
この撮像操作がなされると、制御部３５は、図５（ｂ）に示すような「撮像中」の文字を、例えば数秒間程度、表示部２５に表示制御すると共に、この数秒経過後に、上記撮像操作がなされた際に表示部２５に表示していた静止画像コンテンツを、図５（ｃ）に示すように表示部２５に表示制御する。ユーザは、この表示部２５に表示制御された静止画像コンテンツを見ることで、撮像された静止画像コンテンツを認識する。そして、この撮像された静止画像コンテンツをメモリ３３に保存する場合、操作部２６を介して保存操作を行う。
【００５５】
この保存操作がなされると、制御部３５は、図５（ｄ）に示すように「保存中」の文字を表示部２５に表示制御すると共に、カメラ部２８で撮像された静止画像コンテンツをメモリ３３内のカメラフォルダに保存制御する。そして、このメモリ３３に対する保存が完了した際に、図５（ｅ）に示すように「カメラフォルダに保存しました」等の、保存が完了した旨のメッセージを表示制御する。
【００５６】
一方、制御部３５は、このようにカメラ部２８で撮像された静止画像コンテンツをメモリ３３に保存する制御と共に、コンテンツアルバム３４内に、当該静止画像コンテンツの撮像日情報及び取得先情報を付加したフォルダを作成する。この場合、静止画像コンテンツの取得先はカメラ部２８であるため、コンテンツアルバム３４内には、例えば「２００６／１１／２２  カメラ」等の撮像日情報及び取得先情報が付加されたフォルダが作成されることとなる。そして、制御部３５は、カメラ部２８で撮像された静止画像コンテンツに対して最適化処理を施し、この最適化処理を施した静止画像コンテンツを、コンテンツアルバム３４内に作成した「２００６／１１／２２  カメラ」のフォルダに保存制御する。
【００５７】
静止画像コンテンツに対して施される最適化処理としては、例えばカメラ部２８で撮像された静止画像コンテンツの画面サイズがＳＸＧＡ（Super eXtended Graphics Array、1280画素×1024画素）であり、当該携帯電話機１の表示部２５の画面サイズがフルワイドＱＶＧＡ（QVGA：Quarter Video Graphics Array、240画素×432画素）の画面サイズであった場合、制御部３５は、カメラ部２８で撮像されたＳＸＧＡの画面サイズの静止画像コンテンツを、当該携帯電話機１の表示部２５の画面サイズに合致したフルワイドＱＶＧＡの画面サイズとする最適化処理を、上記静止画像コンテンツに対して施し、これをコンテンツアルバム３４内に作成した上記「２００６／１１／２２  カメラ」のフォルダに保存制御する。
【００５８】
また、コンテンツアルバム３４のメモリ残量が所定残量以下であった場合、制御部３５は、カメラ部２８で撮像されたＳＸＧＡの画面サイズの静止画像コンテンツを、ＱＶＧＡ（Quarter Video Graphics Array、240画素×320画素）の画面サイズの静止画像コンテンツに最適化処理し、これをコンテンツアルバム３４内に作成した上記「２００６／１１／２２  カメラ」のフォルダに保存制御することで、コンテンツアルバム３４の記憶領域が圧迫される不都合を防止する。
【００５９】
ここで、この携帯電話機１の場合、図５（ｆ）に示すようにカメラ部２８で撮像された静止画像コンテンツを電子メールに添付して送信する「メール添付」、該カメラ部２８で撮像された静止画像コンテンツをミラー反転表示する「鏡像表示」、該カメラ部２８で撮像された静止画像コンテンツをミラー反転して保存する「鏡像保存」が選択可能となっている。  
このうち、ユーザにより、「メール添付」或いは「鏡像保存」が選択操作された場合、制御部３５は、図５（ｄ）に示したように「保存中」の文字を表示部２５に表示制御して、カメラ部２８で撮像された静止画像コンテンツをメモリ３３に保存制御すると共に、この場合、コンテンツアルバム３４に上記「２００６／１１／２２  カメラ」のフォルダを作成し、このフォルダに、カメラ部２８で撮像され上記最適化処理を施した静止画像コンテンツ（メール添付の場合）、或いはカメラ部２８で撮像された静止画像コンテンツを鏡像化して上記最適化処理を施した静止画像コンテンツ（鏡像保存の場合）を保存制御する。これにより、電子メールに添付される静止画像コンテンツ及び上記鏡像化された静止画像コンテンツも上記最適化処理が施されてコンテンツアルバム３４に保存されることとなる。
【００６０】
〔ホームネットワークを介して取得されたコンテンツの自動保存動作〕
次に、図６（ａ）〜（ｅ）は、ホームネットワーク２に接続されているパーソナルコンピュータ装置４或いはハードディスクレコーダ装置５から取得したコンテンツをコンテンツアルバム３４に自動保存する流れを示している。この場合、ユーザにより、操作部２６を介してホームネットワークメニューの表示指定操作がなされると、制御部３５は、例えば図６（ａ）に示すホームネットワークから取得するコンテンツの選択画面を表示部２５に表示制御する。ユーザは、操作部２６を介してカーソルＣＲを移動操作することで、動画像コンテンツ、静止画像コンテンツ、及び音楽コンテンツのうち、取得を希望するコンテンツを選択する。
【００６１】
このコンテンツの選択操作がなされると、制御部３５は、図６（ｂ）に示すように「Ｗ−ＬＡＮ通信中」の文字を表示部２５に表示制御すると共に、図２に示す近距離無線通信部３２を起動して、ホームネットワーク２に接続されている機器のうち、ユーザにより選択されたコンテンツが記憶されている機器を検出する。具体的には、ユーザにより、上記取得を希望するコンテンツとして静止画像コンテンツが選択された場合、制御部３５は、近距離無線通信部３２を起動して、ホームネットワーク２に接続されている機器のうち、静止画像コンテンツが記憶されている機器（＝静止画像コンテンツの近距離無線配信が可能な機器）を検出する。そして、制御部３５は、図６（ｃ）に示すように、この検出した機器名を表示部２５に表示制御する。この図６（ｃ）に示す例は、静止画像コンテンツが保存されている近距離無線配信可能な機器として、ネットワークサーバ装置、パーソナルコンピュータ装置４、及びハードディスクレコーダ装置５が検出された例を示している。
【００６２】
ユーザは、操作部２６を介してカーソルＣＲを移動操作することで、この静止画像コンテンツを配信可能な機器のうち、所望の機器を選択する。この機器の選択操作がなされると、制御部３５は、近距離無線通信部３２を介して、このユーザにより選択された機器と近距離無線通信を行うことで、その機器における静止画像コンテンツが保存されているフォルダ名を取得し、例えば図６（ｄ）に示すように表示部２５に表示制御する。なお、この図６（ｄ）に示す例は、上記ユーザにより選択された機器内に、静止画像コンテンツが保存されているフォルダとして、「アルバム」、「アーティスト」及び「プレイリスト」の各フォルダが検出されたことを意味している。
【００６３】
次に、ユーザは、操作部２６を介してカーソルＣＲを移動操作することで、この静止画像コンテンツが保存されているフォルダのうち、所望のフォルダを選択する。このフォルダの選択操作がなされると、制御部３５は、近距離無線通信部３２を介して、このユーザにより選択されたフォルダが記憶された機器と近距離無線通信を行うことで、その機器から、ユーザにより選択されたフォルダ内に記憶されている静止画像コンテンツのうち、第１番目の静止画像コンテンツを取得し、例えば図６（ｅ）に示すように表示部２５に表示制御する。
【００６４】
ユーザが操作部２５を介して、２番目の静止画像コンテンツ、３番目の静止画像コンテンツ・・・等のように表示する静止画像コンテンツの切替操作を行うと、制御部３５は、この切替操作に対応する静止画像コンテンツを、近距離無線通信部３２を介して上記機器のフォルダから取得し、順次、表示部２５に表示制御する。
【００６５】
ここで、制御部３５は、このように近距離無線通信部３２を介して取得した静止画像コンテンツを表示部２５に表示した場合、コンテンツアルバム３４に対して、日付及び取得先をフォルダ名とするフォルダを作成する。具体的には、２００６年１１月２５日に、ホームネットワーク２に接続されているパーソナルコンピュータ装置４から取得した静止画像コンテンツの表示を行った場合、「２００６／１１／２５  ＨＮＷ（ホームネットワークの意）」のフォルダ名を有するフォルダをコンテンツアルバム３４に作成する。表示部２５に表示した静止画像コンテンツに対して上述の最適化処理を施し、この最適化処理を施した静止画像コンテンツを、上記コンテンツアルバム３４内に作成したフォルダに順次保存する。なお、コンテンツアルバム３４の記憶容量が所定以下となった場合、より高い圧縮率で静止画像コンテンツの最適化処理を行い、情報量を少なくしたうえでフォルダに保存することは、上述のとおりである。
【００６６】
なお、この例は、ホームネットワーク２に接続されているパーソナルコンピュータ装置４やハードディスクレコーダ装置５から取得した静止画像コンテンツを最適化処理してコンテンツアルバム３４に保存するものであったが、コミュニケーションネットワーク８上のサーバ装置１０や、インターネット６上のサーバ装置９から取得したコンテンツを携帯電話機１上で再生した場合も、制御部３５は、当該コンテンツに対して上述の最適化処理を施しコンテンツアルバム３４に保存する。
【００６７】
［コンテンツのオフライン再生動作］
次に、このようにコンテンツアルバム３４にコンテンツを保存しておくことで、ホームネットワーク２、インターネット６、或いはコミュニケーションネットワーク８との間の通信回線がオフライン状態となった後からでも、通信回線がオンライン状態の際に参照したコンテンツを参照可能とすることができる。
【００６８】
〔カメラ部で撮像されたコンテンツの再生動作〕
まず、カメラ部で撮像された静止画像コンテンツ或いは動画像コンテンツを参照する場合、制御部３５は、操作部２６を介してコンテンツアルバムの表示指定操作を行う。このコンテンツアルバムの表示指定操作がなされると、制御部３５は、図７（ａ）に示すように、コンテンツアルバム３４内に保存されている各フォルダのフォルダ名を日付順に表示部２５に表示制御する。図７（ａ）は、コンテンツアルバム３４内に２００６年１１月２２日にカメラ部２８で撮像された静止画像コンテンツ或いは動画像コンテンツが保存された「２００６／１１／２２  カメラ」のフォルダ、２００６年１１月２３日にカメラ部２８で撮像された静止画像コンテンツ或いは動画像コンテンツが保存された「２００６／１１／２３  カメラ」のフォルダ、２００６年１１月２５日にホームネットワーク２を介して取得された静止画像コンテンツ、動画像コンテンツ或いは音楽コンテンツが保存された「２００６／１１／２５  ＨＮＷ」のフォルダ・・・が存在する場合の表示例である。
【００６９】
この場合、ユーザは、このように表示されたフォルダ名の一覧における、「カメラ」とのフォルダ名を有する各フォルダの中から所望の日付のフォルダを、操作部２６を介して選択操作する。ユーザにより所望の日付のフォルダが選択されると、制御部３５は、図７（ｂ）に示すように、ユーザにより選択されたフォルダ内のコンテンツの一覧を撮像時刻順に表示部２５に表示制御する。
【００７０】
この図７（ｂ）は、２００６年１２月０１日にカメラ部２８で撮像された静止画像コンテンツ或いは動画像コンテンツが保存された「２００６／１２／０１  カメラ」のフォルダ内に保存されている各静止画像コンテンツの一覧を示している。各静止画像コンテンツ或いは各動画像コンテンツは、撮像日時をコンテンツ名として保存されるようになっており、制御部３５は、各静止画像コンテンツ或いは各動画像コンテンツの撮像日時に基づいて、該各静止画像コンテンツ等を撮像時刻順に並べて表示部２５に表示制御する。なお、この例では、各静止画像コンテンツ或いは動画像コンテンツは、撮像日時がそのコンテンツ名として保存されることとして説明したが、ユーザにより入力されたコンテンツ名で静止画像コンテンツ或いは動画像コンテンツの保存を行うようにしてもよい。
【００７１】
次に、ユーザは、このように表示されたコンテンツ名の一覧の中から所望の静止画像コンテンツ或いは動画像コンテンツに対応するコンテンツ名を、操作部２６を介して選択操作する。ユーザにより所望のコンテンツ名が選択されると、制御部３５は、ユーザにより選択されたコンテンツ名に対応する静止画像コンテンツ或いは動画像コンテンツをコンテンツアルバム３４から読み出し、これを図７（ｃ）に示すように表示部２５に表示制御する。これにより、コンテンツアルバム３４に保存されている最適化処理が施された画質で、２００６年１２月０１日にカメラ部２８で撮像された静止画像コンテンツ或いは動画像コンテンツを参照することができる。
【００７２】
〔ホームネットワークを介して取得されたコンテンツの再生動作〕
次に、ホームネットワーク２に接続されているパーソナルコンピュータ装置４或いはハードディスクレコーダ装置５から近距離無線通信部３２を介して取得したコンテンツを参照する場合、制御部３５は、操作部２６を介してコンテンツアルバムの表示指定操作を行う。このコンテンツアルバムの表示指定操作がなされると、制御部３５は、図７（ａ）を用いて説明したように、コンテンツアルバム３４内に保存されている各フォルダのフォルダ名を日付順に表示部２５に表示制御する。
【００７３】
この場合、ユーザは、このように表示されたフォルダ名の一覧における、「ＨＮＷ」とのフォルダ名を有する各フォルダの中から所望の日付のフォルダを、操作部２６を介して選択操作する。ユーザにより所望の日付のフォルダが選択されると、制御部３５は、図７（ｂ）と同様に、ユーザにより選択されたフォルダ内のコンテンツの一覧を取得時刻順に表示部２５に表示制御する。
【００７４】
制御部３５は、ホームネットワーク２を介してコンテンツを取得した場合、各コンテンツの取得日時をコンテンツ名としてコンテンツアルバム３４に保存するようになっており、各コンテンツを一覧表示する場合、この取得日時に基づいて、各コンテンツを取得日時順に並べて表示部２５に表示制御する。なお、この例では、ホームネットワーク２を介して取得したコンテンツは、取得日時をコンテンツ名として保存することとして説明したが、パーソナルコンピュータ装置４やハードディスクレコーダ装置５で、ユーザにより入力されたコンテンツ名で該取得した各コンテンツを保存してもよい。
【００７５】
次に、ユーザは、このように表示されたコンテンツ名の一覧の中から所望のコンテンツに対応するコンテンツ名を、操作部２６を介して選択操作する。ユーザにより所望のコンテンツ名が選択されると、制御部３５は、ユーザにより選択されたコンテンツ名に対応するコンテンツをコンテンツアルバム３４から読み出して出力制御する。
【００７６】
すなわち、制御部３５は、ユーザにより静止画像コンテンツが選択された場合は、当該静止画像コンテンツを表示部２５に表示制御し、ユーザにより動画像コンテンツが選択された場合は、当該動画像コンテンツの映像を表示部２５に表示制御すると共に、音声をスピーカ部２３を介して出力制御し、ユーザにより音楽コンテンツが選択された場合は、当該音楽コンテンツをスピーカ部２３を介して出力制御する。これにより、コンテンツアルバム３４に保存されている最適化処理が施された画質や音質で、過去にホームネットワーク２を介して取得した静止画像コンテンツ、動画像コンテンツ或いは音楽コンテンツを、オフライン状態のままで参照可能とすることができる。
【００７７】
なお、この例は、ホームネットワーク２に接続されているパーソナルコンピュータ装置４やハードディスクレコーダ装置５から取得した静止画像コンテンツを再生するものであったが、コミュニケーションネットワーク８上のサーバ装置１０や、インターネット６上のサーバ装置９から取得してコンテンツアルバム３４に保存されたコンテンツも、上述と同様に再生される。これにより、コンテンツアルバム３４に保存されている最適化処理が施された画質や音質で、過去にインターネット６やコミュニケーションネットワーク８を介して取得した静止画像コンテンツ、動画像コンテンツ或いは音楽コンテンツを、オフライン状態のままで参照可能とすることができる。
【００７８】
〔スライドショー再生動作〕
次に、携帯電話機１の場合、コンテンツアルバム３４に保存した静止画像コンテンツ或いは動画像コンテンツを順次連続的に再生する、いわゆるスライドショー再生が可能となっている。このスライドショー再生は、図７（ａ）に示した各フォルダの一覧表示時、或いは図７（ｂ）に示した各コンテンツの一覧表示時に、ユーザがサブメニューの表示指定操作を行い、この表示指定操作により表示される各サブメニュー項目の中から「スライドショー」のサブメニュー項目を選択操作することで指定する。
【００７９】
具体的には、図７（ａ）に示した各フォルダの一覧表示時にユーザがサブメニューの表示指定操作を行うと、制御部３５は、図７（ｄ）に示す「削除」、「スライドショー」、及び「コンテンツアルバム設定」の各サブメニュー項目を表示部２５に表示制御する。このサブメニュー項目のうち、「スライドショー」のサブメニュー項目がユーザにより選択操作されると、制御部３５は、図７（ｆ）に示すスライドショー再生の設定画面を表示部２５に表示制御する。
【００８０】
なお、図７（ｄ）に示す各サブメニュー項目のうち、「削除」のサブメニュー項目は、ユーザにより選択された１件或いは全件のフォルダをコンテンツアルバム３４から削除指定するためのサブメニュー項目である。また、図７（ｄ）に示す各サブメニュー項目のうち、「コンテンツアルバム設定」のサブメニュー項目は、図３（ａ）〜（ｃ）を用いて説明したコンテンツアルバム設定画面の表示を指定するためのサブメニュー項目である。コンテンツアルバム３４に対して保存するコンテンツの設定を行う場合、ユーザは、この「コンテンツアルバム設定」のサブメニュー項目を選択して、上述のようにコンテンツアルバムの設定を行うこととなる。
【００８１】
同様に、図７（ｂ）に示した各コンテンツの一覧表示時にユーザがサブメニューの表示指定操作を行うと、制御部３５は、図７（ｅ）に示す「一覧表示切替」、「メール添付」、「削除」、「本体へ保存」、「スライドショー」、及び「コンテンツアルバム設定」の各サブメニュー項目を表示部２５に表示制御する。このサブメニュー項目のうち、「スライドショー」のサブメニュー項目がユーザにより選択操作されると、制御部３５は、図７（ｆ）に示すスライドショー再生の設定画面を表示部２５に表示制御する。
【００８２】
なお、図７（ｅ）に示す各サブメニュー項目のうち、「一覧表示切替」のサブメニュー項目は、コンテンツの一覧表示を行うフォルダの切り替えを指定するためのサブメニュー項目である。また、「メール添付」のサブメニュー項目は、ユーザにより選択されたコンテンツを電子メールの添付ファイルに指定するためのサブメニュー項目である。「削除」のサブメニュー項目は、ユーザにより選択された１件或いは全件のコンテンツをコンテンツアルバム３４から削除指定するためのサブメニュー項目である。「本体への保存」のサブメニュー項目は、ユーザにより選択された１件或いは全件のコンテンツを当該携帯電話機１内のメモリ３３に保存指定するためのサブメニュー項目である。また、「コンテンツアルバム設定」のサブメニュー項目は、図３（ａ）〜（ｃ）を用いて説明したコンテンツアルバム設定画面の表示を指定するためのサブメニュー項目である。コンテンツアルバム３４に対して保存するコンテンツの設定を行う場合、ユーザは、この「コンテンツアルバム設定」のサブメニュー項目を選択して、上述のようにコンテンツアルバムの設定を行うこととなる。
【００８３】
次に、「スライドショー」のサブメニュー項目を選択することで表示されるスライドショー再生の設定画面は、図７（ｆ）に示すようにスライドショー再生時におけるバックグランドミュージック（ＢＧＭ）の種類を選択するための「エフェクト」の設定項目と、スライドショー再生時にＢＧＭを付加するか否かを設定するための「ＢＧＭ」の設定項目と、スライドショー再生を行うコンテンツを指定するための「再生画像」の設定項目とを有している。
【００８４】
当該実施の形態の携帯電話機１の場合、例えば「シンプル」、「ノスタルジック」、「スタイリッシュ」、「アクティブ」、「ノーマル」の各ＢＧＭが設けられており、ユーザは、「エフェクト」の設定項目において、これらのＢＧＭのうち、スライドショー再生時に用いる所望のＢＧＭを選択設定するようになっている。
【００８５】
「ＢＧＭ」の設定項目は、「ＯＮ」及び「ＯＦＦ」のメニュー項目を有している。デフォルトとしては、「ＯＦＦ」のメニュー項目が設定されており、ユーザは、スライドショー再生時にＢＧＭを用いる場合には「ＯＮ」のメニュー項目を設定するようになっている。
【００８６】
「再生画像」の設定項目は、「フォルダ内」及び「全て」のメニュー項目を有している。デフォルトとしては、「フォルダ内」のメニュー項目が設定されている。このデフォルト設定のままであると、ユーザが選択したフォルダ内の全てのコンテンツがスライドショー再生されることとなる。ユーザは、コンテンツアルバム３４内に保存されている全てのコンテンツをスライドショー再生する場合には、上記「全て」のメニュー項目を設定するようになっている。
【００８７】
次に、このようなスライドショー再生の設定がなされ、ユーザにより、操作部２６を介してスライドショー再生の開始指定操作がなされると、制御部３５は、コンテンツアルバム３４内の各フォルダのうち、ユーザにより選択されたフォルダ内の各コンテンツを、例えば１秒間隔等の所定の時間置きに読み出して表示部２５上に連続的に表示するスライドショー再生を開始する。図８（ａ）は、「ＢＧＭ」の設定項目が「ＯＦＦ」の場合の表示例であり、図８（ｂ）は、「ＢＧＭ」の設定項目が「ＯＮ」の場合の表示例である。「ＢＧＭ」の設定項目が「ＯＮ」の場合、図８（ｂ）に示すように、上記選択したＢＧＭの音量設定が可能となっている。ユーザは、ＢＧＭの音量を操作部２６を介して所望の音量に設定することとなる。
【００８８】
なお、以上は、スライドショー再生されるコンテンツが静止画像コンテンツである場合を主として説明したが、動画像コンテンツのスライドショー再生を行う場合、制御部３５は、第１番目の動画像コンテンツの最初から終わりまでを再生し、次に第２番目の動画像コンテンツの最初から終わりまでを再生する・・・等のように、各動画像コンテンツの最初から終わりまでを、該各動画像コンテンツ毎に順次再生する。或いは、制御部３５は、各動画像コンテンツから、それぞれ連続する所定フレーム数分のフレーム画像、或いは断続的に所定フレーム数分のフレーム画像を抽出し、これらを各動画像コンテンツ毎に順次再生する。これにより、コンテンツアルバム３４内に保存されている動画像コンテンツをスライドショー再生することができる。
【００８９】
また、音楽コンテンツのスライドショー再生を行う場合、制御部３５は、第１番目の音楽コンテンツの最初から終わりまでを再生し、次に第２番目の音楽コンテンツの最初から終わりまでを再生する・・・等のように、各音楽コンテンツの最初から終わりまでを、該各音楽コンテンツ毎に順次再生する。或いは、制御部３５は、各音楽コンテンツから、それぞれ連続する所定秒数分の音楽コンテンツ、或いは断続的に所定秒数分の音楽コンテンツを抽出し、これらを各音楽コンテンツ毎に順次再生する。これにより、コンテンツアルバム３４内に保存されている音楽コンテンツをスライドショー再生することができる。
【００９０】
［実施の形態の効果］
以上の説明から明らかなように、この実施の形態のホームネットワークシステムで用いられる携帯電話機１は、ホームネットワーク２やインターネット６或いはコミュニケーションネットワーク８を介してコンテンツの再生を行った際に、制御部３５が、この再生したコンテンツに対して、該コンテンツの情報量を当該携帯電話機１の情報処理能力に合致した情報量に削減するための最適化処理を施して、コンテンツアルバム３４に順次、保存する。そして、ユーザから再生が指定された際に、コンテンツアルバム３４に保存されている上記最適化処理されたコンテンツを読み出して再生する。
【００９１】
コンテンツアルバム３４に保存するコンテンツには、上記最適化処理を施すようになっているため、上記ネットワーク上のコンテンツを再生する毎に、順次、該再生されたコンテンツをコンテンツアルバム３４に保存しても、該保存するコンテンツによりコンテンツアルバム３４の記憶容量が圧迫される不都合を防止することができる。
【００９２】
また、制御部３５は、コンテンツアルバム３４の記憶容量を監視しており、該コンテンツアルバム３４の記憶容量が所定の記憶容量以下となった場合には、高い圧縮率で情報量のさらなる削減を図るようにコンテンツを最適化処理してコンテンツアルバム３４に保存するようになっている。これにより、保存するコンテンツによりコンテンツアルバム３４の記憶容量が圧迫される不都合を強力に防止することができる。
【００９３】
また、ネットワーク上のコンテンツを再生する毎に、順次、該再生されたコンテンツをコンテンツアルバム３４に保存し、このコンテンツアルバム３４に保存したコンテンツを所望のタイミングで再生することができるため、当該携帯電話機１とネットワークとの間の通信回線をオフライン状態とした後からでも、過去に再生したネットワーク上のコンテンツを再生可能とすることができる。
【００９４】
［変形例］
上述の実施の形態の説明では、本発明に対して携帯電話機を用いることとしたが、この携帯電話機の他、ＰＨＳ電話機（PHS：Personal Handyphone System）、ＰＤＡ装置（PDA：Personal Digital Assistant）、ノート型のパーソナルコンピュータ装置等の携帯機器を用いてもよい。いずれの場合でも、上述と同じ効果を得ることができる。
【００９５】
最後に、上述の実施の形態の説明は、本発明の一例である。このため、本発明は上述の実施の形態に限定されることはなく、本発明に係る技術的思想を逸脱しない範囲であれば、設計等に応じて種々の変更が可能であることは勿論であることを付け加えておく。
【図面の簡単な説明】
【００９６】
【図１】本発明を適用した実施の形態となるホームネットワークシステムのシステム構成を示す図である。
【図２】実施の形態のホームネットワークシステムで用いられる携帯電話機のブロック図である。
【図３】実施の形態のホームネットワークシステムで用いられる携帯電話機における、コンテンツアルバム設定画面の表示例を示す図である。
【図４】実施の形態のホームネットワークシステムで用いられる携帯電話機における、コンテンツアルバムに対するコンテンツの自動保存動作の流れを示すフローチャートである。
【図５】実施の形態のホームネットワークシステムで用いられる携帯電話機における、カメラ部で撮像されたコンテンツの自動保存動作を説明するための図である。
【図６】実施の形態のホームネットワークシステムで用いられる携帯電話機における、ホームネットワークを介して取得したコンテンツの自動保存動作を説明するための図である。
【図７】実施の形態のホームネットワークシステムで用いられる携帯電話機における、コンテンツアルバムに保存されたコンテンツの再生動作を説明するための図である。
【図８】実施の形態のホームネットワークシステムで用いられる携帯電話機における、コンテンツアルバムに保存されたコンテンツのスライドショー再生動作を説明するための図である。
【符号の説明】
【００９７】
１  携帯電話機、２  ホームネットワークシステム、３  近距離無線通信アクセスポイント（近距離無線通信ＡＰ）、４  パーソナルコンピュータ装置、５  ハードディスクレコーダ装置、６  インターネット、７  基地局、８  コミュニケーションネットワーク、９  インターネット上のサーバ装置、１０  コミュニケーションネットワーク上のサーバ装置、２１  携帯電話機のアンテナ、２２  通信回路、２３  スピーカ部、２４  マイクロホン部、２５  表示部、２６  操作部、２７  発光部（ＬＥＤ）、２８  カメラ部、２９  バイブレーションユニット、３０  タイマ、３１  近距離無線通信アンテナ、３２  近距離無線通信部、３３  メモリ、３４  コンテンツアルバム、３５  制御部
【図１】
2009010708.tif 000003
【図２】
2009010708.tif 000004
【図３】
2009010708.tif 000005
【図４】
2009010708.tif 000006
【図５】
2009010708.tif 000007
【図６】
2009010708.tif 000008
【図７】
2009010708.tif 000009
【図８】
2009010708.tif 000010